(57)【要約】【課題】遊技盤面を視認し得る透明板に遊技者に高い関心を抱かせることが可能な斬新で画期的な装飾を施し、遊技者にとって興趣ある遊技機を提供する。【解決手段】遊技領域５ａを有する遊技盤５と、前記遊技領域５ａを視認し得る透明板３０を有する飾り枠６とを備えた遊技機であって、前記透明板３０の板面に凹溝３１を形成し該凹溝３１により所望の図柄３２を表示すると共に該透明板３０の側端に該図柄３２を照射する光源３３を配設し、前記光源３３の点灯により前記図柄３２が浮き出て見えるようにした。【選択図】図３
2006094953.tif 000002
【特許請求の範囲】
【請求項１】
遊技領域を有する遊技盤と、前記遊技領域を透視し得る透明板を有する飾り枠とを備えた遊技機であって、
前記透明板の板面に凹溝を形成し該凹溝により所望の図柄を表示すると共に該透明板の側端近傍に該凹溝を照射する光源を配設し、前記光源の点灯により前記図柄が浮き出て見えるようにしたことを特徴とする遊技機。
【請求項２】
前記透明板は前記飾り枠の裏面側に設けられる保持枠に着脱自在に設けたことを特徴とする請求項１記載の遊技機。
【請求項３】
前記透明板は前記飾り枠と一体に形成したことを特徴とする請求項１記載の遊技機。
【請求項４】
前記図柄を前記透明板及び飾り枠に亘って施したことを特徴とする請求項３記載の遊技機。
【請求項５】
前記凹溝は縁部に丸みを持たせた略Ｕ字状に形成されたものであることを特徴とする請求項１乃至４のいずれかに記載の遊技機。
【請求項６】
前記光源はＬＥＤであることを特徴とする請求項１乃至５のいずれかに記載の遊技機。
【発明の詳細な説明】
【技術分野】
【０００１】
本発明は、透明板を介して遊技領域を視認し得る飾り枠を備えた遊技機に関するものである。
【背景技術】
【０００２】
従来パチンコ機等の遊技機には、可変表示装置等を設けた遊技盤の前面に透明板扉枠が装着され、ほぼ中央に開設した窓開口の裏側に設けられたガラス板等の透明板を介して遊技盤面を視認できるようにしている。そして、透明板は遊技領域を保護すると共に二層構造として、磁石及び不正具による不正を防止する役割をなしていた。また、最近では遊技のマンネリ化を打破し興趣を高めるために可変表示装置等が大型化され、それに伴い遊技領域を大きくする傾向にある。（例えば、特許文献１参照。）。
【特許文献１】特開２００１−２３１９３２号公報
【発明の開示】
【発明が解決しようとする課題】
【０００３】
しかしながら、可変表示装置を大型化しても表示内容が代り映えしないために、すぐに遊技者に飽きられ、遊技者に高い関心を抱かせるものではなかった。また、遊技領域を大きくすると飾り枠の装飾面積が小さくなり、遊技機の装飾性が劣って見映えが悪くなるという問題があった。
【０００４】
そこで、本発明は、上記課題を解決するためになされたもので、遊技盤面を透視し得る透明板に形成した凹溝により表示した図柄を透明板の側端近傍に設けた光源の光により浮き上がらせ、遊技者に高い関心を抱かせることが可能な斬新で画期的な装飾を施し、遊技者にとって興趣ある遊技機を提供しようとするものである。
【課題を解決するための手段】
【０００５】
上記課題を解決するために、請求項１記載の発明は、遊技領域を有する遊技盤と、前記遊技領域を透視し得る透明板を有する飾り枠とを備えた遊技機であって、前記透明板の板面に凹溝を形成し該凹溝により所望の図柄を表示すると共に該透明板の側端近傍に該凹溝を照射する光源を配設し、前記光源の点灯により前記図柄が浮き出て見えるようにしたことを特徴とする。ここでいう「飾り枠」とは、遊技機の前面側を構成し、遊技者が遊技盤を透視し得る透明板を有すると共に、前面側に装飾部を有するものである。また、ここでいう「透明板」とは、可視光が透過できるガラス板又はアクリル，ポリカーボネート等の合成樹脂製の硬質板である。光源はＬＥＤ・蛍光ランプ・冷陰極管・ネオン管等である。
【０００６】
請求項２記載の発明は、請求項１記載の発明において、前記透明板は前記飾り枠の裏面側に設けられる保持枠に着脱自在に設けたことを特徴とする。前記図柄を施した透明板は飾り枠の裏面側に所定間隔を隔てて設けられる透明板の間に介装するのが好ましい。また、前記透明板は前記飾り枠の裏面側に設けられる保持枠の保持溝に嵌挿するようにしてもよい。このように、透明板を着脱自在に設けることによって、遊技盤の交換による遊技機の機種変更の際に透明板を交換することができ、透明板を新機種に対応する図柄とすることができる。
【０００７】
請求項３記載の発明は、請求項１記載の発明において、前記透明板は前記飾り枠と一体に形成したことを特徴とする。このとき、透明板と飾り枠とを透明なアクリル，ポリカーボネート等の合成樹脂により形成するのが好ましい。
【０００８】
請求項４記載の発明は、請求項３記載の発明において、前記図柄を前記透明板及び飾り枠に亘って施したことを特徴とする。図柄が連続することにより透明板と飾り枠の一体感がより鮮明となる。
【０００９】
請求項５記載の発明は、請求項１乃至４のいずれかに記載の発明において、前記凹溝は縁部に丸みを持たせた略Ｕ字状に形成されたものであることを特徴とする。光源の消灯時には図柄が目立たず、該図柄によって遊技者の遊技を妨げることはない。
【００１０】
請求項６記載の発明は、請求項１乃至５のいずれかに記載の発明において、前記光源はＬＥＤであることを特徴とする。ＬＥＤは、小型で前方指向性の高い照射光を発光するため確実に図柄を照射することができる。
【００１１】
前記光源は遊技態様に対応して点灯又は消灯する制御回路基板により制御されるようにするのが好ましい。
【００１２】
前記飾り枠のほぼ中央に所定の奥行を有する開口窓を開設すると共に該開口窓の裏側に前記透明板を配設し、前記開口窓の奥行空間に位置して該開口窓周縁に装飾部材を回動自在に軸支し、前記装飾部材は前記遊技領域側に倒伏して前記透明板を覆う被覆状態と前記飾り枠の前面側に回動して該飾り枠を立体的に装飾する突出状態とに切換自在とするのが好ましい。
【００１３】
前記飾り枠は施錠装置により施錠されると共に該施錠装置を解錠するシリンダ錠の鍵穴が該飾り枠の前面に露呈して設けられ、前記装飾部材は突出状態でシリンダ錠の鍵穴を覆い隠すようにするのが好ましい。
【００１４】
前記装飾部材の収容状態を検知するセンサを飾り枠に設けると共に該センサの検知信号により作動する報知手段を設けるのが好ましい。前記センサは光学式センサであっても接触式センサであってもよい。また、報知手段は視覚的に報知するランプであり、聴覚的に報知するスピーカである。
【００１５】
前記装飾部材の裏面側に、透明板と直接接触して透明板を傷つけたり装飾部材ががたついたりしないようにウレタン，ゴム等の弾性部材を設けるのが好ましい。
【発明の効果】
【００１６】
本発明によれば、遊技領域を透視し得る透明板に凹溝により所望の図柄等を施し、透明板の側端に配設した光源を点灯することにより前記図柄が照射され鮮明に表示されるようにしたので、遊技領域が広くなり飾り枠の装飾性が劣っても透明板に施された図柄が表示されることで、装飾性を高めることができる。さらに、飾り枠と透明板とを一体に成形すると共に図柄を連続的に施すことで、飾り枠と透明板との一体感が鮮明となり遊技者の興趣を高めることができる。
【実施例１】
【００１７】
次に、本発明の一実施例を図面を参照して説明する。遊技機としてのパチンコ機は、図１に示すように方形枠状に形成された機枠１の前面に飾り枠としての前面枠２がヒンジ具３により開閉自在に装着され、前面枠２には遊技盤取付枠４を介して遊技盤５が着脱自在に取着されている。また、前面枠２の前面には、飾り枠としての透明板扉枠６が開閉自在に設けられ、遊技盤５を視認し得るようにしている。前面枠２及び透明板扉枠６は、開放端を前面枠２の裏面側に設けられる施錠装置７により施錠され、前面枠２の前面に表出するシリンダ錠８の鍵穴８ａに鍵を差込み操作することによって解錠するようにしている。さらに、透明板扉枠６の下方には、遊技球を整列して発射装置（図示せず）に供給する機能を備えた上部球受皿９及び該上部球受皿９の余剰球を貯留する機能を備えた下部球受皿１０が設けられ、下部球受皿１０の側方に遊技球の打力を調整する操作ハンドル１１が設けられている。また、上部球受皿９には効果音又はお知らせを発生し、遊技の演出効果を高めるスピーカ１２が設けられている。なお、透明板扉枠６は上部球受皿９と一体に設けるようにしてもよい。また、上部球受皿９と下部球受皿１０とを個々に設けることなく、それぞれの機能を備えた１つの球受皿を設けるようにしてもよい。
【００１８】
前記遊技盤５は、所定の厚さを有してほぼ方形状に形成され、遊技盤５面には所望の図柄・模様が描かれたセル板が貼着されている。そして、その前面には図１に示すように遊技球を案内するガイドレール１６により遊技領域５ａがほぼ円形に形成され、その遊技領域５ａのほぼ中央に可変表示装置１７が設けられる。その周囲には入賞口として一般入賞口１８や可変表示装置１７の図柄を変動させるチューリップタイプの始動入賞口１９、また可変表示装置１７の表示が予め設定された図柄の組合せに停止することにより開放する大入賞口２０等が設けられ、適宜個所に遊技球の流下方向を変化させる障害釘２１及び風車２２を配設している。また、遊技領域５ａの最下端には、一般入賞口１８，始動入賞口１９，大入賞口２０に入賞しなかったすべての遊技球をアウト球として回収するアウト球排出口２３が開設されている。
【００１９】
透明板扉枠６は、前面枠２とほぼ同じ横幅を有し、図２及び図３に示すように所定の奥行（約２０ｍｍ〜３０ｍｍ）を有する合成樹脂製の飾り枠本体１３と該飾り枠本体１３の裏面に設けられる金属製の補強枠１４とにより大略構成される。飾り枠本体１３は表面をほぼ平面状に形成し、ほぼ中央に遊技領域５ａの形状とほぼ合致する円形状の開口窓１５が所定の奥行を有して開設され、遊技領域５ａを視認し得るように形成されている。そして、飾り枠本体１３の所定個所にレンズ部材２５が設けられ、そのレンズ部材２５に対応して後方位置に光源としての発光ダイオード（以下ＬＥＤという）２６が配設され、遊技状態に応じて点灯又は点滅させて装飾効果を高めると共に遊技の雰囲気を盛り上げるようにしている。なお、ＬＥＤ２６は緑や赤色等の単色発光させるものであっても、赤・緑・青の３原色を組み合わせて複色発光させるものであってもよい。また、補強枠１４は、図２に示すように開口窓１５に合致するように額縁状に形成され、その補強枠１４の後面側に開口窓１５の周縁を囲うように側方が開放したコ字形の保持枠２７が設けられ、該保持枠２７には透明板としての２枚のガラス板２４が嵌るガラス挿入溝２７ａが設けられ、２枚のガラス板２４をガラス挿入溝２７ａに挿入して装着することにより、ガラス板２４が開口窓１５の裏側に位置するように配設される。そして、保持枠２７の開放端にガラス板２４の抜け止板を装着する係止部３５が設けられ、係止部３５は、図２に示すように下方の開放端に設けられるＬ字状の受片３５ａと、上方の開放端に設けられる下向き湾曲状の弾性片３５ｂとで構成され、弾性片３５ｂの先端は抜け止板をガラス板２４側に誘導するようにテーパー面としている。また、補強枠１４の一側には前面枠２に軸着するヒンジ部２８が設けられ、開放端側には図３に示すように透明板扉枠６を前面枠２に閉止する施錠装置７の係止片７ｂが係止する透孔状の係受部２９が設けられている。なお、保持枠２７を一側方が開放するコ字状としたが、上方を開放したコ字状としてもよい。
【００２０】
そして、実施例において図２及び図３に示すように、ガラス板２４間の隙間Ｓに可視光を透過するアクリル，ポリカーボネート等の合成樹脂製の透明板３０が介装されている。透明板３０は、ガラス板２４とほぼ同じ厚さを有し、板面に板厚より細幅の凹溝３１を形成し該凹溝３１により所望の図柄を表示する図柄表示部３２が形成されている。この実施例において図柄は、透明板３０のほぼ中央から左右に向って放射状の直線図柄が施されている。また、透明板３０の側端近傍であり端面に近接した部位に図柄表示部３２を照射する光源であるＬＥＤ３３を配設している。凹溝３１はレーザー加工又は金型による型押し成形により略Ｕ字状に形成されており、該凹溝３１の開放端縁部に丸みを持たせて形成している。このため、ＬＥＤ３３が消灯した通常時に透明板３０を正面視しても、図柄表示部３２が透明でありエッジ部が丸みを持たせてはっきりしていないため、図柄を明確に視認することはできず、透明板３０に形成された図柄表示部３２は常態では目立たないため、図柄表示部３２により遊技盤５面の可変表示装置１７の表示及び遊技球の流下態様等が見難くなったりする障害が生じることはない。また、ＬＥＤ３３は、透明板３０の側端の全幅及び全長に亘る細長の基板３４に図柄表示部３２に光が指向するように所定間隔で配列されている。そして、透明板３０は、保持枠２７の側方からガラス板２４間の隙間Ｓに介装され、基板３４を保持枠２７の係止部３５に嵌めることにより保持枠２７の開放端を閉塞すると共にガラス板２４の抜脱を防止しており、基板３４はガラス板２４の抜け止め板としての役割をなしている。基板３４の装着は、基板３４の下端を保持枠２７の受片３５ａに嵌め、次に基板３４の上端を係止部３５の弾性片３５ｂのテーパー面に押し付けることで、弾性片３５ｂが付勢に抗して上向き回動して、さらに基板３４を押し込むことにより弾性片３５ｂが弾性復帰して基板３４を押さえつけ装着される。また、基板３４から引き出される配線は、透明板扉枠６の軸支部２８側から遊技盤５の裏面側に設けられる制御回路基板（図示せず）に接続され、制御回路基板により遊技状態に応じて装飾効果を奏するようにＬＥＤ３３の点灯・消灯を制御すると共に発光色が設定される。なお、ＬＥＤ３３を透明板３０の一側端に設けるようにしたが、透明板３０の周縁端の複数箇所に設けるようにしてもよい。また、ＬＥＤ３３と対向する透明板３０の端面部に、反射加工を施したり反射板を設けたりして透過した光を反射させて光の利用効率を高めるようにし、図柄表示部３２をより照輝するようにするのが好ましい。また、光源はＬＥＤ３３に限らず蛍光ランプ・冷陰極管・ネオン管等でもよいが、小型で前方指向性の高い照射光を発光するＬＥＤが最適である。
【００２１】
このように構成されるパチンコ機は、操作ハンドル１１を操作して上部球受皿９の遊技球を遊技領域５ａに発射し、遊技球が始動入賞口１９に入賞すると可変表示装置１７の表示が変動して、その停止図柄によって遊技者にとって有利な状態となる。そして、例えば可変表示装置１７の表示が変動し、大当りの可能性のある所謂リーチ状態になったときに、制御回路基板からの信号によりＬＥＤ３３が点灯制御されて、透明板３０の端面から内部に光が導入され図柄表示部３２が照射される。すると、放射状に描かれた図柄が凹溝３１により描かれていることから、透明板３０の中を進んだ照射光が凹溝３１の反射面で反射して図柄が照らし出されて浮き出て見え、遊技者はその図柄の輪郭・ラインをはっきり認識することができる。そして、遊技者はこの特有の美観を生じた態様に遊技の興趣を高めることができる。このとき、ＬＥＤ３３が透明板３０の側端近傍に設けられているため、ＬＥＤ３３が直接遊技者の視野に入ることはなく、図柄表示部３２の図柄及び遊技盤５面の視認の邪魔になることはない。また、ＬＥＤ３３を点滅又は順次点灯させる等の変化をつけることにより、図柄の放射状の線を光が順次移動するように見せて、常態と異なる態様に遊技者は遊技内容に対してより期待感を持つことができる。さらに、放射状のライン毎に色の異なるＬＥＤ３３を配設したりＬＥＤ３３を多色発光させたりすることにより、図柄表示部３２の図柄が光って幻想的に浮き出て見え、遊技の雰囲気を盛り上げると共に装飾性を高めることができる。本実施例の図柄が中心から放射状に描かれていることから、例えば可変表示装置１７の表示部に左右の図柄が揃ったリーチ状態のとき、透明板３０の側方から光を放射すると、恰も中心に光が集中するように見え、しかも図１に示すようにちょうど可変表示装置１７の中心に放射状の線の中心があることから、光のエネルギーを変動中の図柄に注入するように演出でき、遊技者の期待感を高めると共に遊技を興趣あるものとすることができる。また、図柄表示部３２の図柄は、遊技盤５の前面に描かれた所望の図柄・模様と関連性を持ったものとするのが好ましく、光により浮かび上がった図柄・模様は遊技盤５の図柄・模様と相俟って立体的なデザインとすることができる。さらに、飾り枠本体１３の表面に、透明板３０の図柄と連続性又は関連性を持たせた図柄を施すのが好ましく、図柄が遊技機の前面に広がって迫力のある斬新なデザインとすることができる。図上、飾り枠本体１３の表面に透明板３０の図柄と連続性を持たせたラインが描かれているが、例えば透明板３０に凹溝３１により放射状の図柄を施し、その図柄に対応させて開口窓１５の周縁に花弁模様をあしらうようにして、遊技機全体のイメージ又はテーマを「花」とすることもできる。なお、実施例において、リーチ状態でＬＥＤ３３を点灯させるようにしたが、始動入賞時，大当り時等にＬＥＤ３３を点灯させるようにしてもよく、好ましくは透明板３０の図柄をその遊技状態に合ったものとして装飾及び演出効果を高めるようにするのがよい。また、ＬＥＤ３３の点灯と同時にスピーカ１２から効果音を発生させるようにして、演出効果を高めるようにしてもよい。
【００２２】
前記実施例では、透明板３０を透明板扉枠６の保持枠２７に保持された２枚のガラス板２４の間隔Ｓ内に介装するようにしたが、保持枠２７に保持されたいずれか一方のガラス板２４を図柄表示部３２が形成された合成樹脂製の透明板３０としてもよい。好ましくは、合成樹脂製の透明板３０を遊技者が直接触れることがない遊技盤５側に配設し、図柄表示部３２は遊技球と直接接しない表面側に形成するのがよい。このとき、ＬＥＤ３３は透明板３０の側端の近傍位置であり図柄表示部３２に指向するように設けるのが好ましい。
【００２３】
図柄を施した透明板３０を透明板扉枠６に着脱自在に設けることにより、透明板３０を任意に交換することができる。例えば、図４（イ）〜（ニ）に示すように曲線及び直線による多様な模様・文字等の図柄表示部３２を形成した透明板３０を用意し、遊技盤５のみの交換による機種変更や機種のイメージを変更する際に、透明板３０を一緒に交換することにより、簡単に新機種に対応する図柄とすることができ様々な演出が可能となる。なお、図柄は必ずしも透明板３０全体に施すことなく、遊技領域５ａに臨む一部にキャラクタ等の図柄を施すようにしてもよい。また、図柄表示部３２を形成する透明板３０を合成樹脂製としたが、ガラス板２４に直接凹溝３１を形成して図柄表示部３２に図柄を表示するようにしてもよい。このとき、ガラス板２４は突条により図柄を形成した押し型により成形するのが好ましい。
【００２４】
前記実施例において、ガラス板２４を保持枠２７の保持溝２７ａに１枚ずつ嵌めるようにしたが、図５に示すように予め２枚のガラス板２４を枠部材３６に接着した所謂複層ガラス３７のガラス板２４間の所定空間Ｓ内に透明板３０を介装して、ＬＥＤ３３を設けた回路基板３４を開放端に接着又はビス着することにより閉塞して、透明板３０とＬＥＤ３３とを複層ガラス３７としてユニット化するようにしてもよい。また、図６に示すように複層ガラス３７の一方のガラス板２４を、板面に凹溝３１を形成し図柄を表示した透明板３０としてユニット化することも可能である。このとき、透明板３０は図７に示すようにＬＥＤ３３の基板３４に設けられる基台３８の凹溝３８ａに嵌め込まれて一体的に設けられ、ＬＥＤ３３の光が透明板３０内を直進し得るようにしている。このように、複層ガラス３７を採用することにより、透明板３０とＬＥＤ３３とをユニット化することができ保管及び装着が容易となる。
【００２５】
前記実施例において、複層ガラス３７に光源としてのＬＥＤ３３を設けてユニット化するようにしたが、必ずしも複層ガラス側に設けることなく、図８に示すように透明板扉枠６側の補強枠２７にＬＥＤ３３を設けるようにしてもよい。このように透明板扉枠６側に光源を設けることによって、複層ガラス３７の装着時に配線処理が不要となり、複層ガラス３７の交換又は装着作業を容易とすることができる。この実施例において、枠部材３６は透明板３０と同様の可視光が透過し得る透明な合成樹脂により形成され、枠部材３６の周辺には、図９に示すように透明板３０に形成された放射状の凹溝３１の端部間を結んで放射状の模様を一筆書きで書き得るように（同図矢印参照）所定間隔を離して凹溝３６ａが形成されている。また、光源として所定の輝度を有するＬＥＤ３３が、透明板３０の放射状の模様を一筆書きで書く始点位置に対応するように保持枠２７に設けられている。そして、枠部材３６を介してＬＥＤ３３を点灯して凹溝３１に対して照射することにより、光は一筆書きをなぞるように凹溝３１を照輝して、最少のＬＥＤ３３で効率よく放射模様を浮き出させることができる。なお、光源の数は限定されるものではなく、凹溝３１を照射し得るように保持枠２７の周縁に複数個設けるようにしてもよい。
【００２６】
実施例において、凹溝３１の深さをほぼ一定としたが、凹溝３１は深さを一定とすることなく、深さを任意に変化させるようにしてもよく、凹溝３１の深さを変化させることにより、ＬＥＤ３３により照射された際の輝度が変化し、図柄表示部３２の装飾性を高めることができる。好ましくは、ＬＥＤ３３から離間するに従い凹溝３１の深さが深くなるように変化を持たせることにより、輝度むらが発生することがなく図柄表示部３２の図柄が均一的に明るく照射される。
【００２７】
また、前記実施例において透明板３０を飾り枠本体１３に対して着脱自在に設けるようにしたが、図１０及び図１１に示すように透明板３０と飾り枠本体１３とをアクリル，ポリカーボネート等の透明の合成樹脂により一体に成形するようにしてもよい。この実施例において、平面状の透明板３０部の左右を略蒲鉾状に隆起して飾り本体枠１３を形成して、隆起部の後面に色彩を施した装飾用のレンズ部材２５を設けると共にＬＥＤ２６を配設している。そして、透明板３０の後面に遊技盤５面保護用のガラス板２４が保持枠２７を介して設けられている。好ましくは、保持枠２７は透明板３０と同質の合成樹脂により形成して、接着剤又はビス着により取付けるのがよい。このとき、透明板３０に形成した図柄表示部３２を飾り枠本体１３に亘って連続して施すようにして、より透明板３０と飾り枠本体１３とに一体感を持たせるようにするのが好ましい。また、図柄表示部３２を照射するＬＥＤ３３は、透明板３０の側端であり且つ飾り枠本体１３が前方に隆起する端部に複数並列して設けられている。隆起の始端部は図１１の円内に拡大して示すように、透明板３０に対して垂直となるように形成され、その端面に対向するようにＬＥＤ３３が設けられ、確実に透明板３０内を光が走行して図柄表示部３２を照射するようにしている。なお、所定角度で図柄表示部３２を直接照射するＬＥＤ３３を備えるようにしてもよい。また、ＬＥＤ３３は飾り枠本体１３の端部に備えるようにしてもよいが、このとき、光が隆起部を通過し図柄表示部３２を効率よく照射するように、飾り枠本体１３の曲折部に反射加工を施したり反射板を設けたりするようにするのが好ましい。このように、透明な合成樹脂により形成した飾り枠本体１３は、図９に示すように裏面側に色彩を施したレンズ部材２５を設けたり、装飾シートを熱転写加工又はインモールド加工に基づいて貼付したりして装飾性を高めるのが好ましい。また、レンズ部材２５を交換自在とすることにより、透明板３０を交換するのと同様に機種変更又は機種のイメージを変更することも可能となる。さらに、透明板３０と飾り枠本体１３とを一体に設けることによって、従来飾り枠本体１３と透明板との隙間から行われていた不正具の差込みによる不正行為を防止することができる。また、透明板３０と飾り枠本体１３とを一体成形とすることによりコストの低減に寄与することは言うまでもない。
【００２８】
図１２及び図１３は透明板３０と飾り枠本体１３とをアクリル，ポリカーボネート等の透明な合成樹脂により一体に形成した他の実施例を示し、遊技領域５ａを臨む円状の開口窓１５を凹窪状に形成している。なお、この実施例のパチンコ機は権利物のパチンコ機として説明する。前記パチンコ機と異なる点は「大当り」を確定する特定入賞口３９と所定間隔で大入賞口２０を開放させる回転入賞口４０を備えている点であり、前記実施例と同じ構成には同一符号を付して説明する。そして、この実施例では凹窪状の底部に位置する透明板３０に凹溝３１により所望の図柄を施した図柄表示部３２を形成しており、その図柄は透明板３０を正面視して特定入賞口３９及び回転入賞口４０をそれぞれ囲むように施されている。また、図柄表示部３２を照射するＬＥＤ３３は、凹窪部の外周縁に周設して凹溝３１を照射して図柄表示部３２の図柄が浮き出て見えるようにしている。
【００２９】
この実施例では、図１３に示すように開口窓１５の奥行空間を収容空間４２として、開口窓１５の周縁のほぼ左右対称位置に装飾部材４３を回動自在に軸支して、該装飾部材４３を遊技領域５ａ側に倒伏して透明板３０を被覆する倒伏状態と飾り枠本体１３の前面側に回動して該飾り枠本体１３を立体的に装飾する突出状態とに切換自在としている。装飾部材４３は、収容空間４２の奥行とほぼ同じ厚みを有すると共に開口窓１５の周縁に沿った円弧部を有する略三日月状に形成され、装飾部材４３の表面（装飾部材４３の収容状態で遊技者が視認し得る側）には「ＯＰＥＮ」の文字が刻設され（図示せず）、裏面（装飾部材４３の回動状態で遊技者が視認し得る側）は平滑面状に形成されて遊技内容及び当り図柄等を説明するシール４４が貼付されている。また、装飾部材４３の裏面側にはウレタン，ゴム等の弾性部材４５が設けられ、装飾部材４３が透明板３０と直接接触して透明板３０を傷つけたり装飾部材４３ががたついたりしないようにしている。装飾部材４３のヒンジ４６は、開口窓１５の開口端部に設けられる軸部４６ａに装飾部材４３の上下の軸部４６ｂを合致させ、軸部４６ａ，４６ｂに軸ピン４７を貫通させることで装飾部材４３が回動自在に装着される。なお、装飾部材４３の形状は何ら限定されるものではなく、方形状，吹出し形状等の様々の形状が可能であり、遊技内容とデザイン的に関連させたキャラクタ形状としたり、図柄表示部３２の図柄と関連性を持たせてイメージに合うような形状としたりしてもよい。また、装飾部材４３は必ずしも複数設けなければならないものではなく１個であってもよく、開口窓１５の対称位置に設けることなく変則位置に設けて意外性のあるデザインとするようにして、装飾性を高めるようにしてもよい。好ましくは、装飾部材４３は遊技者に視認し易い位置に設けるのがよい。このように、装飾部材４３は設置場所に限定されることなく、開口窓１５の任意の位置に設けることができるため、デザインの自由度が増して装飾効果を向上させることができる。
【００３０】
また、図１３に示すように収容空間４２を形成する開口窓１５の内周面にセンサ４８が設けられ、装飾部材４３が倒伏して収容空間４２に収容された状態を検知するようにしている。実施例においてセンサ４８は発光部と受光部とを備えた光学式センサとするが、直接装飾部材４３に接触して検知するマイクロスイッチであってもよい。さらに、装飾部材４３が収容空間４２に位置して遊技領域５ａの一部を覆う状態であると、遊技者の遊技の妨げとなり、折角透明板３０に施した図柄表示部３２が隠れてしまうため、装飾部材４３の倒伏状態を報知する報知手段を設けるのが好ましい。この報知手段は、装飾部材４３がセンサ４８に検知されると作動するものであり、その手段は特に限定されるものではなく、レンズ部材２５を点灯させて視覚的に報知するようにしてもスピーカ１２から警告を発して聴覚的に報知するようにしてもよい。また、装飾部材４３が倒伏して収容空間４２に収容された状態にあると、センサ４８が装飾部材４３を検知して図柄表示部３２を照射するＬＥＤ３３は点灯せず、装飾部材４３を飾り枠本体１３の前面側に回動してセンサ４８の検知が解除されるとＬＥＤ３３が点灯して図柄表示部３２を照射するようにしてもよい。
【００３１】
権利物のパチンコ機は、普通のパチンコ機と異なり可変表示装置１７の図柄が揃ったときに特定入賞口３９に遊技球を入賞させて「大当り」を確定させなければならないため、遊技中の通常の打ち方と「大当り」した時の打ち方が異なり、初心者にとっては遊技し難く、折角「大当り」になっても必要な個所にパチンコ球を入賞させることができずに所謂「パンク」して、遊技者に損害を被らせることがあった。しかし、上記構成のパチンコ機は、可変表示装置１７の図柄が揃ったときにＬＥＤ３３を点灯させて特定入賞口３９を囲う部位の図柄表示部３２を照射して際立たせ、遊技者に打つ場所をはっきり認識させることができる。そして、その指示に従って遊技者が打った遊技球が特定入賞口３９に入賞すると、今度は回転入賞口４０を囲う部位を照射するようにＬＥＤ３３を点灯させる。すると、回転入賞口４０を囲う部位の凹溝３１が反射して次に打つ場所を遊技者にはっきり認識させることができる。このため、初めて権利物のパチンコ機の遊技をする遊技者でも遊技の仕方が光の演出によりはっきり理解することができるため、「パンク」して遊技者に損害を被らせることはない。このように、光の演出により図柄表示部３２の図柄を浮き上がらせて装飾効果を高めるだけでなく、遊技者に遊技の仕方を理解させることも可能である。
【００３２】
また、上記構成のパチンコ機は、運搬時には、装飾部材４３を図１３に示すように透明板３０を覆うように収容空間４２内に倒伏して収容しているため、装飾部材４３によって透明板３０の露出面積を小さくして透明板３０を保護し破損するのを防止している。また、装飾部材４３が開口窓１５の奥行空間とほぼ同じ厚みに形成され、装飾部材４３を飾り枠本体１３から前方に突出しないように軸支しているため、透明板扉枠６が嵩張ることがなく運搬コストを低減することができる。そして、パチンコ機をホールに設置する時には、装飾部材４３を前面側に回動して、飾り枠本体１３の表面より前方に装飾部材４３を突出させることで、透明板扉枠６が立体的に装飾され平板状のデザインを起伏に富んだデザインとすることができ、遊技者は斬新なデザインを楽しむことができる。また、装飾部材４３が透明板３０を覆い遊技領域５ａを隠す位置から取扱い説明が遊技者に視認できるように飾り枠本体１３の表面に臨む位置に回動するので、使用時には装飾部材４３が遊技領域５ａを隠すことがなく、遊技者は遊技球の流下態様をアウト球排出口２３に流入する最後まで視認することができ、透明板３０に形成された図柄表示部３２の演出も確実に楽しむことができる。このとき、図１２及び図１３鎖線に示すように装飾部材４３の表面が飾り枠本体１３の表面に重なるように回動するようにしたので、該装飾部材４３によってシリンダ錠８の鍵穴８ａを隠すことができ、遊技者が鍵穴８ａをいたずらしたり鍵穴８ａを操作して不正に前面枠２又は透明板扉枠６を開放したりすることを防止することができる。また、装飾部材４３を回動して飾り枠本体１３の前面を覆うようにしているため、飾り枠本体１３の少なくとも装飾部材４３に覆われる部位は装飾性にこだわる必要がなく、飾り枠本体１３のデザインを簡素化することができ、金型も単純化できてコストの低減化に寄与する。
【００３３】
なお、装飾部材４３にさらに装飾性を高めるように突出状態で遊技者が視認し得るように、ＬＥＤ等の光源を備えたレンズ部材，スピーカさらに表示装置等の電気部品を設けるようにして、電飾効果を発揮して装飾効果を倍加するようにしてもよい。このとき、装飾部材４３と飾り枠本体１３とを電気的に接続させるために、電気的配線を装飾部材４３のヒンジ４６の筒状軸部４６ａにフレキシブル配線板を組み込んで飾り枠本体１３と電気的に接続するようにすればよい。また、装飾部材４３と飾り枠本体１３とを電気的に接続させるために、装飾部材４３の表側に装飾部材４３に内装した電気部品の基板に設けたコネクタ部材を露呈させ、飾り枠本体１３の表面であり装飾部材４３が回動して該装飾部材４３のコネクタ部材が相対する位置に該コネクタ部材と接続するコネクタを露呈させるようにしてもよい。このようにすることによって、装飾部材４３が被覆状態では飾り枠本体１３側と電気的に接続されることはなく、装飾部材４３を回動して飾り枠本体１３を装飾する突出状態で装飾部材４３のコネクタ部材と飾り枠本体１３のコネクタが接続されることにより、装飾部材４３の電気部品が飾り枠本体１３の基板と電気的に接続される。このとき、コネクタ同士が嵌合して接続されることにより、装飾部材４３の突出状態を安定した状態で維持することができ、無用に装飾部材４３が回動して図柄表示部３２を隠蔽することはない。
【００３４】
また、遊技領域５ａが大きくなるのに伴って、開口窓１５が大きくなり飾り枠本体１３の枠幅が５０ｍｍ以下に狭くなっても、図柄表示部３２の占有面積は大きくなり開口周縁に回動自在に設けられる装飾部材４３を回動して飾り枠本体１３の前面側に突出させることで、装飾性の乏しくなった飾り枠本体１３の装飾性を高めることができる。
【００３５】
なお、飾り枠として透明板扉枠６を実施例に説明したが、前面枠２を飾り枠として該前面枠２に直接開口窓１５を設けて、図柄表示部３２を形成した透明板３０を介して遊技盤５を視認し得るようにしてもよい。このとき、遊技盤取付枠４は前面枠２と別体に設けるのが好ましく、遊技盤取付枠４を機枠１又は前面枠２に対して開閉自在に設け、前面枠２の開放時に遊技盤５が露呈するようにするのがよい。
【００３６】
また、実施例において遊技機をパチンコ機として説明したが、ここでいう「遊技機」とは、飾り枠に設けた透明板を介して遊技領域が透視し得るものを意味しており、パチンコ球を盤面に打ち込むことにより遊技するパチンコ機の他にアレンジボール機，雀球遊技機等が含まれる。また、パチンコ球を賭球として回収し図柄表示した回転体の回転を任意で停止させ、その停止図柄によって所定個数の賞球を払出す所謂「パロット」といわれる回胴式遊技機にも適用可能である。さらに、コインを遊技媒体とするスロットマシンにも応用することができる。
【図面の簡単な説明】
【００３７】
【図１】パチンコ機の正面図である。
【図２】透明板扉枠の裏面斜視図である。
【図３】パチンコ機の要部断面図である。
【図４】（イ）〜（ニ）は他の透明板を装着した透明板扉枠の正面図である。
【図５】透明板扉枠の他の実施例を示す分解斜視図である。
【図６】透明板扉枠の他の実施例を示す斜視図である。
【図７】図６の要部断面図である。
【図８】透明板扉枠の要部断面図である。
【図９】図８の透明板の正面図である。
【図１０】パチンコ機の他の実施例を示す要部正面図である。
【図１１】図１０の要部断面図である。
【図１２】パチンコ機の他の実施例を示す要部正面図である。
【図１３】図１２の要部断面図である。
【符号の説明】
【００３８】
２          前面枠（飾り枠）
５          遊技盤
５ａ        遊技領域
６          透明板扉枠（飾り枠）
１３        飾り枠本体（飾り枠）
１５        開口窓
２４        ガラス板（透明板）
２７        保持枠
３０        透明板
３１        凹溝
３２        図柄表示部（図柄）
３３        ＬＥＤ（光源）
【図１】
2006094953.tif 000003
【図２】
2006094953.tif 000004
【図３】
2006094953.tif 000005
【図４】
2006094953.tif 000006
【図５】
2006094953.tif 000007
【図６】
2006094953.tif 000008
【図７】
2006094953.tif 000009
【図８】
2006094953.tif 000010
【図９】
2006094953.tif 000011
【図１０】
2006094953.tif 000012
【図１１】
2006094953.tif 000013
【図１２】
2006094953.tif 000014
【図１３】
2006094953.tif 000015